(57)【要約】【課題】効率のよいパッティング練習を行うことのできるパター及び練習具を提供する。【解決手段】この発明の練習用パターは、パターヘッド２のフェイス３側にゴルフボール７を収容する収容部８を備えた枠体６を突設し、パッティング又はパッティングアドレス等に収容されたボール７がパッティングフロア１３面に接地し且つパタースウィング時にボール７が枠体６内の定位置に保持された状態で転動するように、枠体６の収容部８の少なくとも底部を開放し且つ内径と上下高さを形成している。また枠体６とパターヘッド２とを各別に形成し、両者の間に、枠体６をパターヘッド２側に取付固定する取付具１２を設けることができる。【選択図】          図１
2005006723.tif 000002
【特許請求の範囲】
【請求項１】
パターヘッド（２）のフェイス（３）側にゴルフボール（７）を収容する収容部（８）を備えた枠体（６）を突設し、パッティング又はパッティングアドレス等に収容されたボール（７）がパッティングフロア（１３）面に接地し且つパタースウィング時にボール（７）が枠体（６）内の定位置に保持された状態で転動するように、枠体（６）の収容部（８）の少なくとも底部を開放し且つ内径と上下高さを形成してなるパッティング練習用パター。
【請求項２】
枠体（６）とパターヘッド（２）とを各別に形成し、両者の間に、枠体（６）をパターヘッド（２）側に取付固定する取付具（１２）を設けてなる請求項１のパッティング練習用パター。
【請求項３】
パターヘッド（２）のフェイス（３）側に突出するように取り付けられ、ゴルフボール（７）を移動規制をしながら転動可能に収容する収容部（８）を備えた枠体（６）からなり、該収容部（８）が底面側からボール（７）を挿脱できるように底部開放型に形成されるとともに、上記枠体（６）に枠体（６）をパターヘッド（２）に取り付ける取付具（１２）を設けてなるパッティング練習具。
【請求項４】
収容部（８）の上部が開放され収容されたボール（７）の上面が露出する構造の請求項３のパッティング練習具。
【請求項５】
枠体（６）がゴルフボール（７）の直径以下の厚みを備えた透明部材よりなり、収容部（８）が上下に貫通した円形断面の孔である請求項３又は４のパッティング練習具。
【請求項６】
取付具（１２）が枠体（６）のパターヘッド取付面（９）側にパターヘッド（２）のフェイス（３）と貼着する接着部を設けてなる請求項５のパッティング練習具。
【請求項７】
枠体（６）の収容部（８）の外周位置の取付面（９）への近接位置にボール（７）の直進回転をチェックするするマーク（１６）を付した請求項５又は６のパッティング練習具。
【発明の詳細な説明】
【０００１】
【発明の属する技術分野】
この発明は、ゴルフのパッティング練習用パターとパターに取り付ける練習具に関する。
【０００２】
【従来の技術】
従来ゴルフのパッティング練習のうちパットの方向性は、主にパット直後の直進性を練習によって体得することを目的としているが、例えばボールをスクェアにヒットすることによりボールの直進性を確認しながらパットするもの（特許文献１）、パターの形状やパッティングマークを注視しながら、フェイスの芯にボールを当てて直進性を保たせるもの（特許文献２）、スイング軌跡自体をパッティングラインに沿わせてガイドさせるもの（特許文献３）等が公知である。
【０００３】
【特許文献１】
特開昭６２−１７０２７２号
【特許文献２】
特開平３−１８３８０号
【特許文献３】
特開平１０−２４８９８４号
【０００４】
【発明が解決しようとする課題】
しかし上記公知技術のうち、特許文献１のものは２個のボールを一体的に連結した特別なボールを必要とし、特許文献２のものは特殊な形状のパターを必要とするほか、パットを完了しない限りボールがパッティングラインに沿っているか否かが確認できない。特許文献３のものは特別なパッティングガイドを必要とする等の欠点がある。
【０００５】
またいずれの方法もパッティングの都度ボールが必ずアドレス位置より離れるので、複数のボールを必要とするほか、最終的にはパットしたボールを回収することが必要である等の問題がある。
【０００６】
この発明はこれらの問題点を解消し、アドレス位置において単一のボールで繰り返しパッティング練習を行うことができ、しかもスイング開始と同時にボールの転動回転の正常不正常を確認することによってパッティングスイング自体の適否を判断できる練習用パター又は練習具を提供することを目的としている。
【０００７】
また練習具を通常のパターにも簡単に着脱可能なものとし、練習場所を問わず気軽に練習できる構造が簡単で安価な練習具を提供することを二次的な目的としている。
【０００８】
【課題を解決するための手段】
上記課題を解決するための本発明の練習用のパターは第１に、パターヘッド２のフェイス３側にゴルフボール７を収容する収容部８を備えた枠体６を突設し、パッティング又はパッティングアドレス等に収容されたボール７がパッティングフロア１３面に接地し且つパタースウィング時にボール７が枠体６内の定位置に保持された状態で転動するように、枠体６の収容部８の少なくとも底部を開放し且つ内径と上下高さを形成してなることを特徴としている。
【０００９】
第２に、枠体６とパターヘッド２とを各別に形成し、両者の間に、枠体６をパターヘッド２側に取付固定する取付具１２を設けてなることを特徴としている。
【００１０】
同じくパターに取り付ける練習具は、第１にパターヘッド２のフェイス３側に突出するように取り付けられ、ゴルフボール７を移動規制をしながら転動可能に収容する収容部８を備えた枠体６からなり、該収容部８が底面側からボール７を挿脱できるように底部開放型に形成されるとともに、上記枠体６に枠体６をパターヘッド２に取り付ける取付具１２を設けてなることを特徴としている。
【００１１】
第２に、収容部８の上部が開放され収容されたボール７の上面が露出することを特徴としている。
【００１２】
第３に、枠体６がゴルフボール７の直径以下の厚みを備えた透明部材よりなり、収容部８が上下に貫通した円形断面の孔であることを特徴としている。
【００１３】
第４に、取付具１２が枠体６のパターヘッド取付面９側にパターヘッド２のフェイス３と貼着する接着部を設けてなることを特徴としている。
【００１４】
第５に、枠体６の収容部８の外周位置の取付面９への近接位置にボール７の直進回転をチェックするするマーク１６を付したことを特徴としている。
【００１５】
【発明の実施の形態】
図１〜図３は本発明の１実施形態を示し、図１は本発明の練習用パターヘッド部の平面図で、シャフト１付のパターヘッド２のフェイス３には、ソール４の前後方向に沿って正面視正方形，長方形，半円形等のブロック形状からなる枠体６が固定的に突設されている。
【００１６】
枠体６のややフェイス寄りの偏心位置には、内部にゴルフボール７が遊嵌状態で転動可能に収容される上下方向に貫通した円形断面の孔からなる収容部８が形成されている。
【００１７】
枠体６のパターフェイス３側にはフェイスに沿った平面からなる取付面９が設けられ、その取付面９には表面に剥離シート１１を貼着した両面接着テープ又は予め塗布された不乾接着剤層等からなる取付具１２が付着して設けられており、この取付具１２の剥離シート１１を剥離させて枠体４をフェイス３に取り外し可能に接着固定して枠体６付の練習用パターが構成される。
【００１８】
上記枠体６は例えば５７×５７×１５（ｍｍ）のポリカーボネート等の透明プラスチック材よりなり、収容部８はできるだけ取付面９（フェイス３）側寄りの位置に、上下面に略直角方向に形成され、孔のサイズはゴルフボールの径（注：規格では４２．６７ｍｍ以上）より２〜３ｍｍ程度大きい径に設定される。この孔径は図２に示すパタースイング時にスイング方向に沿って位置規制されながらボール７が自由に転動するのに適した径であればよい。
【００１９】
上記のように構成される枠体（練習具）６をパターヘッド２に付設することにより、競技に使用可能なパターが練習用パターとなる。練習時には図２（Ａ）〜（Ｃ）に示すようにボール７を収容部８に収容し、グリーン又は練習用マット等からなるパッティングフロア１３上で（Ｂ）のアドレス位置から（Ａ）のバックスイング位置（Ｃ）のフォロースイング位置まで、例えば４００〜５００ｍｍの範囲でスイングされる。ボール７を遠方に打ち放す場合は、フォロースイング完了位置は（Ｃ）位置より左方の上方位置になる。
【００２０】
ボール７の外周にはボール中心上を通る直線的なライン状のマーク１４が連続的又は間欠的に付されており、また収容部８の外周とフェイス３との最近接位置である枠体６の周壁上面（又は上下面）にはマーク１６が付されており、必要ならその反対側にもマーク１６′を付してもよい。
【００２１】
上記スイングはフロア１３上の仮想の（又は現実に引かれた）パッティングライン１７上をマーク１６（１６′）が通過するようにパッティングライン１７に沿って行われるが、この時ボール７のライン状のマーク１４は予めパッティングライン１７に沿うようにボール７が収容配置されているので、スイング中にマーク１６（１６′）のパッティング方向がパッティングライン１７に沿っていれば、転動中のボール７のライン状のマーク１４はパッティングライン１７に沿ったままである。
【００２２】
これに対し、スイング中にマーク１６（１６′）がパッティングライン１７より外れると、ライン状のマーク１４がパッティングライン１７に対して左右に振れるので、プレーヤーはこのマーク１４の動きを注視することにより、自分のスイングの方向性の適否を直ちに確認することができる。換言すれば、ボール７のマーク１４が常にパッティングライン１７に沿って振れないようにスイングするように練習を重ねることにより、ボールを押し出し又は掃き出すように行われるのが理想と言われる正しいスイングを体得することができる。
【００２３】
本発明の練習用パター及び練習具は、前記説明及び図示するものに限られず、例えば枠体６とパターヘッド２が同材質で予め一体形成されたものでもよく、枠体６がビスや係脱可能なクリップ又はバンド（いずれも図示しない）等によって取り付けられるものであってもよい。また枠体６は透明材であった方がボールの回転状態の確認には望ましいが、不透明材であってもよく、あるいはプラスチック材に限らず、金属製でもよく、さらには下部よりボールを出し入れでき、上部よりボール回転を確認できる篭状又はリング状のものにすることも可能である。枠体６の上下方向の高さ（厚み）はスイング時のボール回転の確認やボール回転への抵抗軽減のためにはボール径以下で、スイングの両端で収容部８からのボール７の脱出を十分に防止できる最小限の寸法で足りる。尚、収容部（孔）８の下端外周は、スイング時のボール７の転動に抵抗を与えないように適度なアールを付す等の工夫をすることが望ましい。
【００２４】
【発明の効果】
以上のように構成される本発明によれば、スイングガイド等の特別の用具やその設置作業を要さず、１個のボールで短時間にパッティングのスイング練習を行うことができるので、ボール回収の必要もなく、練習効果の向上が実現できる（注：勿論スイングのフォローを大きくとることによりボールを放出させることは自由に出来る）。またスイング中もボールを注視するだけで常にスイング軌道の適否やその修正が出来る利点がある。
【００２５】
また枠体（練習具）を通常のヘッドに対して着脱可能なものとして別体形成すれば、時や場所を問わず手軽にパッティング練習ができるほか、枠体の構造も簡単で低コストであり、携帯等の持ち運びや取り扱いも容易である等の効果がある。
【図面の簡単な説明】
【図１】本発明の練習用パター及び練習具の使用状態を示す平面図である。
【図２】（Ａ），（Ｂ），（Ｃ）は同じく練習用パター及び練習具の使用状態を示す背面断面図である。
【図３】本発明の練習具の構成を示す斜視図である。
【符号の説明】
２    パターヘッド
３    フェイス
４    ソール
６    枠体
７    ボール
８    収容部
９    取付面
１２  取付具（接着部）
１３  パッティングフロア
１４  線状のマーク
１６，１６′  マーク
１７  パッティングライン
【図１】
2005006723.tif 000003
【図２】
2005006723.tif 000004
【図３】
2005006723.tif 000005